(57)【要約】      （修正有）【課題】遺伝情報発現を制御し抗体として免疫的な防御機能を持つ体質に、テラヘルツ光子放射電球の代謝複製の還元作用を提供する。【解決手段】還元作用は、テラヘルツ光子放射電球の量子力学的な毎秒３５兆回以上の振動光波を放射し、細胞が二酸化炭素を吸収して細胞自身が有機物質に転化して炭素固定を振動光エネルギ−で行うホルモン合成の同化機構により行う。３５兆回以上の振動数が、細胞分裂数を誘発維持し、生活機能維持ホルモンは、総でのビタミン群を食物から取込ませ健康状態が生理機能と協調されてゆく。【選択図】図３
2009045410.tif 000002
【特許請求の範囲】
【請求項１】
遠赤外線テラヘルツ発振装置の、光子放射電球がおこなう室内環境の光合成は水素原子スペクトルがリュ−ドベリ定数の電子軌道が無限大になって、イオン化状態対応するエネルギ−である。
フント系列テラヘルツ１０１３光の物理化学的な、光子放射電球エネルギ−を応用する製品群である。
【請求項２】
光子の光合成は細胞は二酸化炭素を吸収して、それ自身の有機物質に転化する炭酸固定を光エネルギ−で行なう同化機構を言い、光エネルギ−を化学エネルギ−に転化し、炭素原子が連鎖反応で合成されるする有機化合物の、生理的有効物質ホルモンを内分泌臓器から血管内に合成分泌させ、正常な生命活動を行なうため欠くことのできない微量必要なビタミン群の総てを食物から吸収させる。
【請求項３】
受精して細胞が細胞分裂で生物の増殖連続性を遺伝子の実体であるＤＮＡの合成を継続し、タンパク質の制御回路が細胞の大きさを調整制御や分裂環境制御など、部分確認から３０時間で５０回細胞分裂を１周を触媒進行している。
細胞分裂周期を、テラヘルツ光子放射の量子力学的な３５兆回の振動波で、還元的な分子間の伸縮振動と幾何学的な分子結合角に沿って起こる変角振動と細胞分裂周期を誘発させる。
【請求項４】
生活する室内環境の上部に、テラヘルツ光子放射電球の光合成は水素イオン領域の電気的ポリフェノ−ル気流で室内を支配し、脳を常に刺激し間接痛の緩和など異常諸症状の細胞群とを、ク−ロン力とファンデルワ−ルス力の化学反応などでイオン還元反応を促進する。
【請求項５】
光合成反応で健康状態を維持するため室内環境などに、テラヘルツ光子放射電球の波長の光子エネルギ−が、細胞構成分子あるいは原子団によって吸収され光合成反応に紅色素バクテリオクロロフィルが直接参加し、光合成細菌は電子回路が含まれ、反応中心のＡＴＰ紅色素の光によって励起された電子群は、一連の電子伝達体を受け渡し回収され、エネルギ−を失った電子は反応中心の紅色素は再び光エネルギ−を受け取り回転をはじめ、この電子回路は光リン酸回路は酵素タンパク質を基質代謝を振動波放射中な回転を継続する。
光エネルギ−によって励起された紅色素分子中の電子は、未知の電子受容体に移動し種々の金属電子酵素群を通過し光還元体に合成する。
【請求項６】
遠赤外線光テラヘルツ波が室内環境に光子が放射されると、還元的な水素イオン価の電荷的なポリフエノ−ル環境空間に置換されてゆき、有害細菌を殺菌した還元作用も容易になる人間や動物や生物を含めて金属元素がなくては存在しない。
金属元素はタンパク質・酵素・脂肪・糖類・遺伝子に係る核酸類などの、反応を円滑にしたり、分子構造を保つたり、酸素分子を自由に体に取込むため、タンパク質をはじめとする生命分子を調律する金属元素が微量必要量が体内に存在させる。
有害化学物質群［−］電荷量とテラヘルツ光［＋］電荷量は、室内環境は放射時間積で電荷量は等しくなり、有害物質群は作用や反応性が消滅し無質化の環境になる。
テラヘルツ光の量子力学的な３５兆／秒以上の振動波は、細胞分裂周期を光子放射体と細胞元素分子群と分子間力の振動ラジカルが、室内水素イオン環境で細胞分裂が誘発助長される、量子力学的な光子放射電球と金属群との励起発光作用は、生命に重要な還元的反応の調律で支える。
【請求項７】
人が呼吸し室内環境でテラヘルツ光子を受けていると、人が呼吸し糖分と脂肪分と結合し活性代謝エネルギ−として燃え、炭酸固定を光エネルギ−使って同化機構を言い有機物質は炭素原子の連鎖の有機化合物で、炭素を中心として水素・酸素を集約し重合などの化学反応でホルモンや食変換化合物をも合成する。
ホルモンは、内分泌臓器から血管内へ分泌される生理的な有効物質であり、正常な生活機能に微量必要な有機化合物で体内で合成されるが、細胞分裂の減衰で欠落したホルモン合成力を、光振動のエネルギ−で行なう同化機構がホルモン体内合成の減衰分を補助分泌させ、血液細胞や骨細胞を含め正常な生命活動を調整する。
生物が、正常な生命活動を行なう欠くことのできない微量栄養素のビタミン群は体内分泌された生理機能ホルモン群の正常調律でビタミン群の総ては、食物から吸収される。
【発明の詳細な説明】
【技術分野】
【０００１】  本発明は、人が遺伝情報発現を制御し、抗体として免疫的な防御機能を持ち健康状態を維持継続するために、遠赤外線光テラヘルツ波の量子力学的な振動位相波を、単結合領域で物理光学的な伸縮・変角振動を発振する実施機器の応用である。
【背景技術】
【０００２】  薬は細胞に異物で副作用の発症があるが、物理化学的の光学作用と還元反応は副作用の発症が診られない、薬品類を使わない光学的な代替的治療で、類似するカイロ療法・お灸療法・ヨガ療法・温熱療法などがある。【０００３】  物理化学的な光学作用は根源的な還元法に比べ、類似療法群は場当的な処方で、繰返の療法が必要である。
【特許文献１】  特開平２００４−２２６１７６
【非特許文献１】  物質の科学〈物理化学〉：著者平川暁子・土屋荘次：発行者放送大学
【非特許文献２】  生化学：著者猪飼  篤：発行者講談社
【非特許文献３】  電子と生命：著者垣谷俊昭・三室  守：発行者共立出版
【発明の開示】
【発明が解決しようとする課題】
【０００４】  室内環境において呼吸し年齢を重ねて居ると、細胞分裂や内分泌ホルモン合成が減少し酸化酵素方の基質代謝が、活性酸素種の体質に促進され、内蔵疾患を含め周辺発症の部位の体質的な調律する課題がある。
室内環境に光子放射電球を設け、光合成が紅色菌バクテリオクロロフイルから光エネルギ−を取入れ媒体に体内取込まれ、水素イオンの電気的なポリフエノ−ル室内で分子構造群を伸縮振動・変角振動で元素群を励起発光を継続し、還元的な抗酸化酵素の基質代謝で塩基性タンパク質の形で、遺伝情報発現を制御し抗体として免疫的な防御機能を持つ体質に、テラヘルツ光子放射電球の代謝複製の還元作用を課題としている。【０００５】  遺伝子の本体であるＤＮＡを受精し生を受け細胞内の分裂周期起動の核・染色体に含まれ生活機能に必要なタンパク質酵素や、微量で有機化合物で内分泌臓器から血管内へ分泌されるホルモンも生殖合成は続けられている。
酵素タンパク質群は塩基性の形で遺伝情報を発現し、ホルモンと関わり総てビタミン群を食物から吸収し、建築資材的構築や筋肉を創り、分裂周期が約３０時間で約５０回数の最高分裂数に、年齢と逆比例するように細胞分裂を持続代謝する。【０００６】  水素結合したタンパク質酵素の細胞群が、遺伝子を受精し授動した細胞分裂を青年期のの細胞に、テラヘルツ光約３５兆の振動数が健康調律の分細胞裂を誘発維持し抗体として免疫的な健康体で維持する。
【課題を解決しようとする手段】
【０００７】  還元作用の課題を、テラヘルツ光子放射電球の量子力学的な毎秒３５兆回以上の振動光波を放射し、細胞が二酸化炭素を吸収して細胞自身が有機物質に転化して炭素固定を振動光エネルギ−で行うホルモン合成の同化機構である。
細胞分裂数の３５兆回以上の振動数が、細胞分裂数を誘発維持し生活機能維持ホルモンは、総でのビタミン群を食物から取込ませ健康状態が生理機能と協調されてゆく。
【０００８】  年齢を重ねて空気を呼吸し糖分と脂肪などと結合し、活性代謝エネルギ−として燃焼し微量に残る酸素分子と食物脂肪が結合反応が、体内に脂肪酸ラジカルが酸化酵素を生成し細胞分裂周期と生活機能の調整ホルモン合成が減衰し、酸化酵素の活性化体質が活性酸素種から生活習慣病を誘発する過程に入る。
【０００９】  細胞分裂とホルモン合成の的確な代謝複製が減衰すと、生活習慣病の認知性疾患が発症し、脳細胞を酸化酵素β−アミロイド活性が脳細胞を過疎性に作用し、幾何学的神経回路の電位変化が情報伝達神経を不調律させる。
【００１０】  室内環境に設けた陽イオン放射光子電球は、抗酸化的に常に筋肉運動をするように脳を常に刺激し、過疎性の脳細胞を粘水性プリテリオグリカン糖鎖体の化学反応が抗酸化酵素反応の還元的な基質代謝が、化学的な伝達ホルモンのカルシトニンや副甲状腺ホルモンを生成と、平衡し電気的神経伝達に必要なカルシウムや、脳細胞の合成因子マグネシウムを光子振動波の元素及び分子団の吸光領域の作用と反応が脳を正常な機能に調律する。
【００１１】  実証を羅列すると、全身細胞のホルモンバランスや心身の安定などイライラ感や疲労感の改善など、課題を解決するための諸状例が改善されたり、抗うつや抗不安や不眠の改善例が診られた。
【発明の効果】
【００１２】  テラヘルツ光子放射電球が、室内環境内で分子的な反応、イオン的反応、ラジカル反応など化学的な単結合領域で伸縮振動や変角振動で、紅色細菌クロロフイルから吸収された光子は、細胞構造分子群を光エネルギ−が基底軌道から励起し還元光を放出し、酸化活性脂質ラジカルで弱らせた水素結合力に、抗酸化酵素の還元光で光子放射は、水酸化領域の細胞群を還元調律させて行く効果がある。
テラヘルツ光子放射電球は室内環境の上部に設け応用するもので、経年齢で活性酸素種の体質で水酸化イオン体質の酸化活性細胞を、還元光作用の光子放射の伸縮・変角振動が転位させ抗酸化体質に置換する。
室内環境の光合成の光エネルギ−は、レントゲン波のように脳を筋肉運動のように刺激し遺伝情報発現を制御し、常に活性化し認知傾向の神経細胞を、電気化学的ポテンシャル代謝で条件反射的に末梢神経まで運動性を正確にしている。
更に、細胞が二酸化炭素を吸収して、それを自分自身の有機物質に転化する炭酸固定を光エネルギ−を応用した炭素同化機構で有機物質を産生促進する。
遠赤外線光テラヘルツ波の光子電球は、陽イオン光の電界と磁界を３５兆回／秒の振動数と８．７５ミクロン波長など位相の光放射をする。
人の細胞紅色々素を光授与体として放射光を吸光した細胞物質は、単結合領域で物理光学的に分子構造を分子間力の伸縮振動と、分子および分子団の幾何学的に結合角に沿って起こる変角振動が、細胞構造物質電子を励起発光の還元作用が、電子を次々と水酸イオン方へ電離しで酸化酵素の細胞質を抑制させる。
陽イオン放射光は、光子電球と細胞分子間力の振動で還元効果を現し、物質との距離間はファンデルワ−ルス力で還元効果は抗酸化酵素合成の基質代謝で、細胞分裂とホルモン体内合成を調律させ、遺伝情報発現を制御し抗体として免疫的な健康長寿が考えられる。
【発明を実施するための最良の形態】
【００１３】  遠赤外線光テラヘルツ波の水素イオン価放射する光子電球を、室内環境の空間上部に約１０ｍ２に１個の割合で設けると、光子電球と細胞構成の元素群と分子間で伸縮振動や分子結合角に沿って起こる変角振動の分子間力的な励起発光は、分子構造は還元的な置換反応は酸性を抑制し、励起発光の還元的な作用と反応は細胞群を抗酸化酵素群の基質代謝は、細胞分裂周期も調律され生活機能も健康に支配されてゆく。
生物は、天然に於いて変異と淘汰を経て、紫外線より波長の長い低エネルギ−の可視光や赤外線等を吸収する、色素物質を合成する能力を獲得して生物は進化し、α線・β線・γ線・中間子線や紫外線など、人体害の光線群約１５％を応用せずに、有機色素物質から光エネルギ−による自己治癒力の合成で天然光に防御機能を持ち、室内環境のテラヘルツ光子放射電球で、最良の形態が維持できる。
【実施例】
【００１４】＊テラヘルツ光子放射電球に応用する
水素原子のスペクトル系列波数をリュ−ドベリ定数の励起準位１０１３を示す。
ライマン  系列  ｎ＝２，３・・・紫外線  ：Ｘ線：シ−マン線など：光エネルギ−
バルマ−  系列  ｎ＝３，４・・・可視光  ：黄・橙・緑・青など
パッシュン系列  ｎ＝４，５・・・赤外線  ：（パッシュン系列の赤外線）
ブラケット系列  ｎ＝５，６・・・赤外線  ：（ブラケット系列の赤外線）
フント    系列  ｎ＝６，７・・・遠赤外線：（還元光）
＊実施に天然有機化合物と高分子化合物で原子スペクトルのフント系列を選定する。
2009045410.tif 000003
単細胞領域で伸縮・変角振動作用が励起発光の還元光を放射する。
【産業上の利用可能性】
【００１５】  あらゆる物質を構成する原子は、正の電荷を持つ原子核と、負の電荷を持つ電子からできている。電荷的に中性な物質が持つ正・負の電荷量は等しく、中性の物質が他から電子を取込むと負に帯電し、電子を失うと正に帯電する。同種の電荷間には反発力がはたらき異種の電荷間には引力が作用する定義に従って、物理化学的な電荷電子エネルギ−の説明する。
◎水素イオン光を毎秒３５兆回の量子力学的な振動波の「テラヘルツ光子放射電球」を                天井など室内環境の上部に１０ｍ２に１個の割合で設けると。
室内は時間経過でイオン的ポリフエノ−ルｐＨ７以下の環境になり、家族達が抗酸化    代謝複製で免疫的な環境で生活が送られ、シックハウス症候群の発症はない。
有害化学物質群の水酸イオンｐＨ９〜１１の電荷帯が水素イオンｐＨ７以下の電荷帯    で物質群は中性電荷の無質化電荷物質になる。
動物臭の電荷１０．５ｅｖは、テラヘルツ光子放射粒子３ｅｖは
⊆１０．５＋３÷２＝６．７５ｅｖで臭気は電荷的に消える。臭気源は                総て類似する。【００１６】  室内環境の家族や事務棟など統計事務や接客事務などに設けられた、テラヘルツ光子を細胞の紅色素から体内に吸光し、分子間の伸縮振動や幾何学的な分子結合角に沿う変角振動の励起発光が、還元的な抗酸化的に分子構造を調律し、抗体として免疫的な防御機能を持つ還元的体力に変遷する。【００１７】  初期アルツハイマ−病と言われた「８０歳代の方」に利用し改善した例がある。認知症など、活性酸素種が時間を掛け脳にβ−アミロイド酸化酵素群を産生し、酸素輸送阻害などで過疎性細胞で脳障害が原因といわれる。
毎秒３５兆回の量子力学的な振動波が、脳細胞を刺激し有酸素運動と元素群の励起発光の還元作用と、炭素同化機構が生殖調整ホルモン甲状腺やカルシトニンなど合成が、カルシウムやマグネシウム群を吸収し糖鎖体粘水性プリテリオグリカン物質などが過疎性細胞を埋め、ミネラル群基調の電気的神経伝達機能と、化学的ホルモン基調神経伝達が末梢神経まで伝達されてゆく。
此等は、テラヘルツ光子の光エネルギーの還元的な光化学作用と、ミネラル群媒体電荷の調律による。【００１８】  室内上部にテラヘルツ光子を設け量子力学的な振動波は、細胞分裂の活性代謝を誘発し常に脳は筋肉懸垂運動のように刺激活性され、自律神経やホルモンや心のバランスを改善し心身を安定化させ認知障害を制御する。
間接痛や骨障害など歩行困難へ、寝室の天井などに設けると約１００日で普通になるが堀炬燵に設けると早くなる。【００１９】  テラヘルツ光子放射電球の作用と反応は、内分泌臓器から血管内に分泌合成されるホルモンと、生理的有効物質の細胞分裂周期を調律させて行く。
受精し生を受けミトコンドリア核酸が、細胞内の核・仁・染色体・遺伝やタンパク質の細胞分裂周期がはじまる、２０歳代を細胞分裂数約５０回を最高に、年齢に逆比例し分裂数を減衰して行き、細胞分裂数が約１０回数を欠落すると天に召されると言が、毎秒３５兆回の量子力学的な振動波で細胞分裂数を誘発を誘導させ、内分泌ホルモン合成と相対的に抗体として免疫的な自己治癒力の健康体を創られてゆく。【００２０】  テラヘルツ光子放射電球による有機化合物ホルモン合成と、内分泌ホルモン群によって食品から微量必要な有機化合物ビタミン群を体内に取込み、細胞分裂数の誘発維持が生命活動に必要協調した代謝複製をさせる。【００２１】  寝室や居間や統計センタ−や接客事務など総合事務棟などは、距離の２乗に反比例するク−ロン力と、距離の７乗に反比例するイオン結合力のファン・デル・ワ−ルス還元作用の物理化学作用の還元的な代謝複製は続けられている。【００２２】  紅色素光合成は、細胞が二酸化炭素吸収して、其れを自分自身の有機物に転化する炭酸固定を光エネルギ−を使って行なう同化機構で行い、有機物質は炭素原子の連鎖によってできている化合物で光エネルギ−を化学エネルギーへ転換する。
１人が呼吸して年間に２２８ｋｇの温暖化原因のＣＯ２を放出している。
室内環境でテラヘルツ光子放射電球の紅色素の光合成はＣＯ２を吸収して、自分自身の細胞有機物に転化し年間２２８ｋｇの炭酸ガス同化機構で放出を抑制する。
１人１人がＣＯ２抑制に誰でもが参加できる「テラヘルツ光子放射電球」である。【００２３】  光合成細菌が行なう光合成の第一過程は光化学反応系の呼吸鎖と同様な電子伝達系で此の電子系を通して、第二過程の二酸化炭素還元に必要なＡＴＰや還元剤を生産する。
光合成細菌の光リン酸回路に含まれる電子酵素は、他のエネルギ−代謝にとっても光還元の重要な要素になっている。【００２４】  テラヘルツ光子を吸収した有機物物質は励起され、光化学反応系が破壊されることなく自然では反応力を持たない有機物質に適当な反応力をもたせ、光エネルギ−の還元作用と炭素同化作用でホルモンを合成する。【００２５】  室内環境のテラヘルツ光子放射電球で、ホルモンは内分泌臓器から血管内へ分泌される生理的有効物質であり、正常な生活機能に微量必要な有機化合物で合成するが、ビタミン群は生物が正常な生命活動を行なうため欠くことのできない微量重要な栄養素であるが、其の生物自らは合成できない有機化合物を、内分泌臓器の生殖調整ホルモンが、食物からビタミン群を生命活動に必要量を調律し吸収する。総てのビタミン群は、内分泌生殖調整ホルモンが細胞群に合成されてなければ、体内に取込まれない。
【図面の簡単な説明】
【００２６】
【図１】上部に設けるために自在部品などを組立た状態である
【図２】天井に設けた状態である
【図３】テラヘルツ光子放射電球
【図４】フント系列６〜７軌道上の還元光エネルギ−の絵図である
【符号の説明】
【００２７】  １  テラヘルツ光子放射の電界と磁界の発振エネルギ−主要部
２  放射発振エネルギ−と接続管
３  日本標準共通規格ソケットＥ−２６
【図１】
2009045410.tif 000004
【図２】
2009045410.tif 000005
【図３】
2009045410.tif 000006
【図４】
2009045410.tif 000007